(57)【要約】      （修正有）【課題】配管の全長を短縮して軽量化を図ることが可能な吸引装置、及び吸引車を提供する。【解決手段】吸引装置は、回収対象物を回収するレシーバタンクと、レシーバタンク内の空気を加減圧及び空気の流れを発生させるためのブロワと、レシーバタンクとブロワの吸入側との間に接続される上流側キャッチャ２３と、ブロワの吐出側に接続される下流側キャッチャ３１と、ブロワの吐出側と下流側キャッチャ３１との間に接続されるサイレンサ２８とを備え、上流側キャッチャ２３と、下流側キャッチャ３１と、サイレンサ２８とが、共通の支持部材であるキャッチャタンク３５にそれぞれ一体的に支持されている。【選択図】図６
2018167739.tif 000002
【特許請求の範囲】
【請求項１】
回収対象物を回収するレシーバタンクと、
前記レシーバタンク内の空気を加減圧及び空気の流れを発生させるためのブロワと、
前記レシーバタンクと前記ブロワの吸入側との間に接続される上流側集塵装置と、
前記ブロワの吐出側に接続される下流側集塵装置と、
前記ブロワの吐出側と前記下流側集塵装置との間に接続されるサイレンサとを備えた吸引装置であって、
前記上流側集塵装置と、前記下流側集塵装置と、前記サイレンサとが、共通の支持部材にそれぞれ一体的に支持されていることを特徴とする吸引装置。
【請求項２】
請求項１に記載の吸引装置において、
前記サイレンサは、筒体を有する膨張式のサイレンサとして構成されており、
前記支持部材は、タンク状の部材によって形成され、前記上流側集塵装置及び前記下流側集塵装置により空気から分離された異物が、当該支持部材の内部に蓄積される構成になっており、
前記サイレンサの前記筒体の少なくとも下部が、前記支持部材の内部に挿入されていることを特徴とする吸引装置。
【請求項３】
請求項２に記載の吸引装置において、
前記サイレンサの前記筒体の底部には、開口部が形成されており、
前記開口部を介して、前記サイレンサの前記筒体の内部と、前記支持部材の内部とが連通されていることを特徴とする吸引装置。
【請求項４】
請求項２または３に記載の吸引装置において、
前記上流側集塵装置及び前記下流側集塵装置は、それぞれ筒体を有するサイクロン式の集塵装置として構成されており、
前記上流側集塵装置及び前記下流側集塵装置の各筒体の少なくとも下部が、それぞれ前記支持部材の内部に挿入されていることを特徴とする吸引装置。
【請求項５】
請求項１〜４のいずれか１つに記載の吸引装置を搭載したことを特徴とする吸引車。
【発明の詳細な説明】
【技術分野】
【０００１】
本発明は、レシーバタンク内に回収対象物を吸引、回収する吸引装置、及びこの吸引装置を搭載した吸引車に関する。
【背景技術】
【０００２】
従来、建設作業現場や、下水処理場等において、汚泥や、土砂、廃液等の回収対象物をレシーバタンク内に回収し、回収した回収対象物を処理場等の所定場所に運搬する吸引車が知られている（例えば、特許文献１参照）。
【０００３】
この特許文献１に記載された吸引車（吸引装置）では、レシーバタンク内部を減圧し、空気の流れによって回収対象物をレシーバタンク内に吸引、回収する。この吸引車には、レシーバタンク内を加減圧及び空気の流れを発生させるためのブロワと、このブロワがレシーバタンク内から吸入する空気及びブロワから吐出される空気を浄化する集塵装置とが設けられている。
【先行技術文献】
【特許文献】
【０００４】
【特許文献１】特開２０１０−８４６２７号公報
【発明の概要】
【発明が解決しようとする課題】
【０００５】
上記特許文献１に記載された吸引車（吸引装置）では、ブロワの駆動により発生する騒音を低減するために、ブロワの上流側（吸入側）、及び下流側（吐出側）にそれぞれサイレンサが設けられている。また、上述した集塵装置も、ブロワの上流側及び下流側にそれぞれ設けられている。このように、従来では、ブロワの周囲に、サイレンサと集塵装置とが２つずつ設けられた構成になっており、レシーバタンク、ブロワ、集塵装置、サイレンサ等を接続する配管の経路が複雑になる可能性がある。このため、配管の全長が長くなり、吸引車の総重量が大きくなることが懸念される。
【０００６】
本発明は、上述のような実情に鑑みてなされたものであり、配管の全長を短縮して軽量化を図ることが可能な吸引装置、及び吸引車を提供することを目的とする。
【課題を解決するための手段】
【０００７】
本発明は、上述の課題を解決するための手段を以下のように構成している。すなわち、本発明は、回収対象物を回収するレシーバタンクと、前記レシーバタンク内の空気を加減圧及び空気の流れを発生させるためのブロワと、前記レシーバタンクと前記ブロワの吸入側との間に接続される上流側集塵装置と、前記ブロワの吐出側に接続される下流側集塵装置と、前記ブロワの吐出側と前記下流側集塵装置との間に接続されるサイレンサとを備えた吸引装置であって、前記上流側集塵装置と、前記下流側集塵装置と、前記サイレンサとが、共通の支持部材にそれぞれ一体的に支持されていることを特徴とする。
【０００８】
上記構成によれば、ブロワ、上流側集塵装置、下流側集塵装置、サイレンサ等の配置構成を工夫することによって、配管の全長を短縮して軽量化を図ることができる。具体的には、上流側集塵装置と、下流側集塵装置と、サイレンサとが、共通の支持部材にそれぞれ一体的に支持されているので、サイレンサが共通の支持部材に支持されていない従来の構成に比べて、レシーバタンク、ブロワ、上流側集塵装置、下流側集塵装置、サイレンサ等を接続する配管の全長を短縮することができ、軽量化を図ることができる。しかも、上流側集塵装置、下流側集塵装置及びサイレンサが、支持部材の周囲に集中して配置されているので、吸引装置をコンパクトな配置構成とすることができ、配管の全長を短縮して軽量化を図ることができる。
【０００９】
上記構成の吸引装置において、前記サイレンサは、筒体を有する膨張式のサイレンサとして構成されており、前記支持部材は、タンク状の部材によって形成され、前記上流側集塵装置及び前記下流側集塵装置により空気から分離された異物が、当該支持部材の内部に蓄積される構成になっており、前記サイレンサの前記筒体の少なくとも下部が、前記支持部材の内部に挿入されていることが好ましい。この場合、前記サイレンサの前記筒体の底部には、開口部が形成されており、前記開口部を介して、前記サイレンサの前記筒体の内部と、前記支持部材の内部とが連通されていることが好ましい。
【００１０】
上記構成によれば、サイレンサの膨張室において凝集した冷却水が、自重により、開口部を通じて、支持部材の内部へ排出される。これにより、排水のための特別な機構（ドレン配管等）をサイレンサに設ける必要がなくなり、サイレンサにおける排水構造を簡素化することができる。
【００１１】
本発明の吸引車は、上記いずれかの構成の吸引装置を搭載したことを特徴とするものであり、かかる構成を備える吸引車によれば、上述した吸引装置と同様の作用効果が奏される。
【発明の効果】
【００１２】
本発明の吸引装置、及び吸引車によれば、ブロワ、集塵装置、サイレンサ等の配置構成を工夫することによって、配管の全長を短縮して軽量化を図ることができる。
【図面の簡単な説明】
【００１３】
【図１】図１は、本発明の実施の形態に係る吸引装置を搭載した吸引車の概略構成を示す側面図である。
【図２】図２は、図１の吸引車の平面図である。
【図３】図３は、図１の吸引装置の配管図である。
【図４】図４は、図１の吸引装置に設けたブロワ、キャッチャタンク等を拡大して示す側面図である。
【図５】図５は、図１の吸引装置に設けたブロワ、キャッチャタンク等を拡大して示す平面図である。
【図６】図６は、図１の吸引装置に設けたキャッチャタンク等を拡大して示す正面図である。
【図７】図７は、図６のＸ１−Ｘ１線断面図である。
【発明を実施するための形態】
【００１４】
以下、本発明の実施形態について、図面を参照しながら説明する。図１は、本発明の実施の形態に係る吸引装置１を搭載した吸引車２の概略構成を示す側面図である。図２は、図１の吸引車２の平面図である。図３は、図１の吸引装置１の配管図である。図４は、図１の吸引装置１に設けたブロワ２５、キャッチャタンク３５等を拡大して示す側面図である。図５は、図１の吸引装置１に設けたブロワ２５、キャッチャタンク３５等を拡大して示す平面図である。図６は、図１の吸引装置１に設けたキャッチャタンク３５等を拡大して示す正面図である。図７は、図６のＸ１−Ｘ１線断面図である。
【００１５】
［吸引車の外観説明］
まず、吸引装置１を搭載した吸引車２の概略構成について、図１、図２を参照して説明する。図１、図２に示すように、吸引車２においては、車両のシャーシフレーム（車台）３上にサブフレーム４が設置されている。サブフレーム４上には、後部に、回収対象物を回収するレシーバタンク５が搭載されている。回収対象物は、例えば汚泥、土砂、廃液等である。
【００１６】
レシーバタンク５は、後端開口を有するタンク本体５ａと、この後端開口を開閉するテールゲート５ｃとを備えている。テールゲート５ｃは、タンク本体５ａの上部後端部にヒンジピン５ｂを介して回動自在に軸支されている。タンク本体５ａとテールゲート５ｃとの間には、開閉シリンダ５ｄが配設されている。開閉シリンダ５ｄを伸縮作動させることによって、テールゲート５ｃがタンク本体５ａの後端開口を開閉する。
【００１７】
レシーバタンク５のタンク本体５ａの上部には、タンク加減圧配管７が接続されている。テールゲート５ｃの下部には、回収対象物の吸引口となる開閉弁付きの吸引口８と、回収対象物の排出口となる開閉弁付きの排出口９とが設けられている。
【００１８】
レシーバタンク５は、サブフレーム４に対し、傾動ピン１０を介して傾倒自在に軸支されており、サブフレーム４とレシーバタンク５との間には、傾倒シリンダ１１が配設されている。傾倒シリンダ１１を伸縮作動させることによって、レシーバタンク５が傾動ピン１０回りに起立回動または倒伏回動する。なお、タンク加減圧配管７は、レシーバタンク５の回動動作に対応するため、その一部がフレキシブルホース等の可撓材料で構成されている。
【００１９】
吸引車２がそのレシーバタンク５内に回収対象物を吸引、回収する場合、レシーバタンク５内の減圧及び空気の流れにより、吸引口８に接続した図示しない吸引ホースを通じて外部からレシーバタンク５内に回収対象物を吸引する。一方、吸引車２がレシーバタンク５内の回収対象物を所定の場所（例えば、汚泥処理場等）へ排出する場合、レシーバタンク５内の空気を加圧し、排出口９に接続した図示しない排出ホースを通じてレシーバタンク５内の回収対象物を外部へ排出する。また、テールゲート５ｃを開き、レシーバタンク５を起立回動させることによって、レシーバタンク５内の回収対象物を排出することも可能になっている。
【００２０】
運転室１３とレシーバタンク５との間には、レシーバタンク５内の空気を加減圧及び空気の流れを発生させるためのブロワ２５、ブロワ２５に供給する冷却水を貯溜するための給水タンク１６、各種のバルブや、配管、機器類が搭載されている。ブロワ２５は、吸引車２の動力取出し装置（ＰＴＯ）のドライブシャフト１４を介して連結された図示しないエンジンの駆動力によって回転駆動されるようになっている。また、吸引車２の左右方向一側面（車両左側）には、メータ類、スイッチ類、操作レバー等を集中配置した操作パネル１５が設けられている。操作パネル１５には、温度警告ブザー、温度警告灯、操作パネル照明としてのパネル灯等も設けられている。
【００２１】
［配管図］
次に、吸引車２に搭載される吸引装置１について、図３〜図７を参照して説明する。
【００２２】
図３〜図７に示すように、吸引装置１には、レシーバタンク５、上流側キャッチャ（上流側集塵装置）２３、ブロワ２５、サイレンサ２８、下流側キャッチャ（下流側集塵装置）３１、キャッチャタンク（支持部材）３５等が備えられており、これらが各種の配管を介して接続されている。
【００２３】
レシーバタンク５には、このレシーバタンク５内の空気を加減圧する際に、空気を送給または吸引するためのタンク加減圧配管７が接続されている。タンク加減圧配管７は、途中位置で吸引配管２１と加圧配管２２とに分岐されている。吸引配管２１の途中位置には、管路を開閉するバルブＶ１が介設されており、吸引装置１の側面（車両左側）に配置された操作レバーＬＶ１（図４参照）を操作することによって、バルブＶ１の開弁状態と閉弁状態とが切り換えられる。加圧配管２２の途中位置には、管路を開閉するバルブＶ２が介設されており、吸引装置１の側面（車両左側）に配置された操作レバーＬＶ２（図４参照）を操作することによって、バルブＶ２の開弁状態と閉弁状態とが切り換えられる。
【００２４】
吸引配管２１は、下流端において、上流側キャッチャ２３の吸入口２３ａに接続されている。上流側キャッチャ２３の排出口２３ｂは、配管２４を介してブロワ２５の吸入口２５ａに接続されている。ブロワ２５の吐出口２５ｂは、配管２７を介してサイレンサ２８の第１空気入口２８ｃに接続されている。配管２７の途中位置には、管路を開閉するバルブＶ３が介設されており、吸引装置１の側面（車両左側）に配置された操作レバーＬＶ３（図４参照）を操作することによって、バルブＶ３の開弁状態と閉弁状態とが切り換えられる。また、バルブＶ３をバイパスするように、リリーフ配管３２が接続されている。このリリーフ配管３２の途中位置には、ブロワ２５の吐出圧の異常圧力から保護するためのリリーフ弁Ｖ５が設けられている。なお、ブロワ２５の吐出口２５ｂとサイレンサ２８の第１空気入口２８ｃとを接続する上記配管２７は車両右側に位置しており、この配管２７に介設されたバルブＶ３も車両右側に位置している。バルブＶ３の操作用であって車両左側に配置された操作レバーＬＶ３と、バルブＶ３とは、車両左右方向に延びる操作ロッドＬＶ３ａにより連結されている。
【００２５】
サイレンサ２８の空気出口２８ｆは、配管３０を介して下流側キャッチャ３１の吸入口３１ａに接続されている。下流側キャッチャ３１の上面に設けられた排出口３１ｂは、大気に解放されている。
【００２６】
ブロワ２５の吸入口２５ａに接続された配管２４の途中位置には、配管３４が接続されている。配管３４の上流端には、吸入口３７ａが接続されており、この吸入口３７ａが外気（大気）を取り込むための外気取込部３７に接続されている。配管３４の途中位置には、管路を開閉するバルブＶ４が介設されている。バルブＶ４は、ブロワ２５の吸入口２５ａを大気に接続可能な負荷開放弁になっており、吸引装置１の側面（車両左側）に配置された操作レバーＬＶ４（図４参照）を操作することによって、バルブＶ４の開弁状態と閉弁状態とが切り換えられる。
【００２７】
また、加圧配管２２の上流端は、ブロワ２５の吐出口２５ｂに接続された配管２７の途中位置であって、バルブＶ３とブロワ２５の吐出口２５ｂとの間の位置に接続されている。加圧配管２２の途中位置には、異常発生時等にレシーバタンク５の内圧を解放するための安全弁Ｖ６が設けられている。
【００２８】
ブロワ２５は、冷却水が内部に封入される湿式のルーツブロワとして構成されている。ブロワ２５の内部には、キャッチャタンク３５の内部の空間に貯溜された冷却水が、図示しない冷却水供給配管を通じて供給されるようになっている。なお、キャッチャタンク３５の内部の空間には、給水タンク１６（図１参照）から冷却水が供給される。
【００２９】
ブロワ２５には、空気導入口２５ｃ，２５ｄが設けられている。空気導入口２５ｃ，２５ｄからブロワ２５の内部に空気を供給することによって、ブロワ２５の排気温度の上昇が抑制されるようになっている。空気導入口２５ｃ，２５ｄは、空気導入配管２６ａ，２６ｂを通じて、外気取込部３７に接続されている。空気導入配管２６ａ，２６ｂの途中位置には、チェック弁２６ｃ，２６ｄが介設されている。チェック弁２６ｃ，２６ｄによって、外気取込部３７側から空気導入口２５ｃ，２５ｄ側への空気の流通のみが許容され、空気導入口２５ｃ，２５ｄ側から外気取込部３７側への空気の流通は規制される。
【００３０】
サイレンサ２８は、筒体２８ａを有する膨張式のサイレンサとして構成されており、この筒体２８ａ内の空間が、サイレンサ２８の膨張室２８ｂになっている。膨張室２８ｂは、断面積が拡大する部分を有しており、この膨張室２８ｂ内に入った空気が、膨張室２８ｂ内で膨張することによってブロワ２５の駆動音が低減されるようになっている。
【００３１】
筒体２８ａの上部には、膨張室２８ｂに連通される第１空気入口２８ｃ及び空気出口２８ｆが設けられている。また、筒体２８ａの下部には、第２空気入口２８ｄが設けられている。第２空気入口２８ｄは、配管２７と並列に配置された配管２９に接続されている。第２空気入口２８ｄには、チェック弁２８ｅが設けられており、チェック弁２８ｅを介して、膨張室２８ｂに配管２９が連通されている。チェック弁２８ｅによって、配管２９側から膨張室２８ｂ側への空気の流通のみが許容され、膨張室２８ｂ側から配管２９側への空気の流通は規制される。また、筒体２８ａの底部（底板）２８ｇには、複数の開口部２８ｈ（図７参照）が形成されており、この開口部２８ｈを介して、膨張室２８ｂがキャッチャタンク３５の内部の空間に連通されている。図７の例では、例えば半円状の４つの開口部２８ｈが、所定の間隔で筒体２８ａの底板２８ｇに形成されている。なお、開口部２８ｈの形状や数は一例であって、適宜変更することが可能である。
【００３２】
上流側キャッチャ２３及び下流側キャッチャ３１は、共通の支持部材としてのキャッチャタンク（集塵タンク）３５に一体的に搭載されている。キャッチャタンク３５内には、隔壁３６が設けられており、この隔壁３６によってキャッチャタンク３５の内部の空間が、上流側キャッチャ２３側の空間３５ａと、下流側キャッチャ３１側の空間３５ｂとに仕切られている。このため、上流側キャッチャ２３及び下流側キャッチャ３１がそれぞれ収集した異物（粉塵、水滴等）が別々に蓄積される。キャッチャタンク３５の下流側キャッチャ３１側の空間３５ｂには、給水タンク１６からの冷却水も供給されるようになっている。
【００３３】
ここで、上流側キャッチャ２３は、筒体を有するサイクロン式の集塵機として構成されている。具体的には、上流側キャッチャ２３は、円筒状の円筒室２３ｅと、この円筒室２３ｅの下方に連続した略円錐形状の円錐室２３ｆとからなる処理チャンバ２３ｃを備えている。この上流側キャッチャ２３に異物（粉塵等）を含む空気が、吸入口２３ａから吸入されると、処理チャンバ２３ｃの内壁面に沿って螺旋気流が発生する。これにより、空気に含まれる異物（粉塵等）が分離され、大部分の異物が、処理チャンバ２３ｃ（円錐室２３ｆ）の下端開口２３ｄから下方へ落下し、キャッチャタンク３５内に堆積（蓄積）することでキャッチャタンク３５内に回収される。一方、上流側キャッチャ２３において、異物が分離された空気は、螺旋気流の中心を上昇して処理チャンバ２３ｃ内の上側に設けられた排出口（排出筒）２３ｂから配管２４へ排出されるようになっている。
【００３４】
同様に、下流側キャッチャ３１も、筒体を有するサイクロン式の集塵機として構成されている。つまり、下流側キャッチャ３１は、円筒状の円筒室３１ｅと、この円筒室３１ｅの下方に連続した略円錐形状の円錐室３１ｆとからなる処理チャンバ３１ｃを備えている。この下流側キャッチャ３１に異物（粉塵、冷却水等）を含む空気が、吸入口３１ａから吸入されると、処理チャンバ３１ｃの内壁面に沿って螺旋気流が発生する。これにより、空気に含まれる異物（粉塵、冷却水等）が分離され、大部分の異物が、処理チャンバ３１ｃ（円錐室３１ｆ）の下端開口３１ｄから下方へ落下し、キャッチャタンク３５内に回収される。一方、下流側キャッチャ３１において、異物が分離された空気は、螺旋気流の中心を上昇して処理チャンバ３１ｃ内の上側に設けられた排出口（排出筒）３１ｂから大気へ排出されるようになっている。
【００３５】
本実施形態では、図６に示すように、上流側キャッチャ２３及び下流側キャッチャ３１に加え、サイレンサ２８がキャッチャタンク３５に一体的に支持されている。つまり、キャッチャタンク３５は、上流側キャッチャ２３と下流側キャッチャ３１とサイレンサ２８とを支持する共通の支持部材になっている。
【００３６】
また、キャッチャタンク３５には、上述した外気取込部３７が一体的に設けられている。外気取込部３７は、キャッチャタンク３５の後部に形成された凹部３５ｇ（図５参照）において外気（大気）に開放されている。この外気取込部３７において、ブロワ２５の吸入口２５ａに接続される配管３４と、ブロワ２５の空気導入口２５ｃ，２５ｄに接続される空気導入配管２６ａ，２６ｂとが集合されている。そして、共通の外気取込部３７から取り込まれた外気が、配管３４と、空気導入配管２６ａ，２６ｂとに分配されるようになっている。外気取込部３７には、多数の開口を有する図示しないサイレンサ部が一体に設けられており、このサイレンサ部によって、バルブＶ４を開弁状態に操作してブロワ２５を大気開放した際に発生する騒音が低減されるようになっている。なお、外気取込部３７は、キャッチャタンク３５内の空間とは連通していない状態で設けられている。
【００３７】
［回収対象物の吸引処理］
上記の配管構成において、回収対象物の吸引処理を行う場合、レシーバタンク５内の空気を減圧する。この減圧時には、操作レバーＬＶ１〜ＬＶ４の操作により、バルブＶ１及びバルブＶ３が開放され、バルブＶ２及びバルブＶ４が閉鎖される。
【００３８】
上記のバルブ操作後、吸引車２のエンジンの駆動力によりブロワ２５が回転駆動されて、ブロワ２５の吸入口２５ａ側から空気が吸入され、ブロワ２５の吐出口２５ｂ側から空気が吐出される。すると、図３の配管に沿った実線矢印で示すように、レシーバタンク５内の空気は、タンク加減圧配管７、吸引配管２１を通じて、上流側キャッチャ２３へ送られる。
【００３９】
上流側キャッチャ２３に異物（粉塵等）を含む空気が吸入されると、上述したように、異物はキャッチャタンク３５内に回収される。一方、異物が分離された空気は、排出口２３ｂから排出され、配管２４を通じて、ブロワ２５の吸入口２５ａ側へ吸入される。このとき、ブロワ２５には、上述したように、冷却水が供給され、この冷却水が霧状となって吸入空気中に混入されるようになっている。
【００４０】
ブロワ２５の吐出口２５ｂ側から吐出された冷却水を含んだ空気は、配管２７、サイレンサ２８、配管３０を通じて、下流側キャッチャ３１へ送られる。下流側キャッチャ３１に異物（粉塵、冷却水等）を含む空気が吸入されると、上述したように、異物はキャッチャタンク３５内に回収される。一方、異物が分離された空気は、排出口３１ｂから大気へ排出される。
【００４１】
このように、ブロワ２５の駆動により、レシーバタンク５内の空気を減圧し、空気の流れによって外部からレシーバタンク５内に回収対象物を吸引することが可能になる。このとき、ブロワ２５の下流側に設けられたサイレンサ２８によって、ブロワ２５の駆動音が低減される。また、空気導入配管２６ａ，２６ｂを介してブロワ２５の内部に空気が供給されることによって、ブロワ２５の排気温度（吐出口２５ｂから排出された空気の温度）が低減されるようになっている。
【００４２】
［回収対象物の排出処理］
上記の配管構成において、回収対象物の排出処理を行う場合、レシーバタンク５を加圧する。この加圧時には、操作レバーＬＶ１〜ＬＶ４の操作により、バルブＶ１及びバルブＶ３が閉鎖され、バルブＶ２及びバルブＶ４が開放される。
【００４３】
上記のバルブ操作後、吸引車２のエンジンの駆動力によりブロワ２５が回転駆動されて、ブロワ２５の吸入口２５ａ側から空気が吸入され、ブロワ２５の吐出口２５ｂ側から空気が吐出される。すると、図３の配管に沿った破線矢印で示すように、外気取込部３７から空気が吸入され、配管３４、配管２４を通じて、空気がブロワ２５の吸入口２５ａ側へ吸入され、ブロワ２５の吐出口２５ｂ側から吐出される。ブロワ２５の吐出口２５ｂ側から吐出された空気は、配管２７、加圧配管２２、タンク加減圧配管７を通じて、レシーバタンク５内に供給され、レシーバタンク５内の空気が加圧される。このように、ブロワ２５の駆動により、レシーバタンク５内の空気を加圧することによって、レシーバタンク５内の回収対象物を外部へ排出することが可能になる。
【００４４】
［本実施形態の特徴］
本実施形態では、上記構成の吸引装置１において、上流側キャッチャ２３と、下流側キャッチャ３１と、サイレンサ２８とが、共通の支持部材であるキャッチャタンク３５にそれぞれ一体的に支持されていることを特徴としている。以下、本実施形態の特徴構成について説明する。
【００４５】
図６に示すように、キャッチャタンク３５は、タンク状の部材によって形成されており、上述したように、上流側キャッチャ２３及び下流側キャッチャ３１によって空気から分離された異物が、当該キャッチャタンク３５の内部に蓄積される構成になっている。上流側キャッチャ２３と、下流側キャッチャ３１と、サイレンサ２８のそれぞれの上部は、キャッチャタンク３５の上面３５ｃから突出（露出）されている。一方、上流側キャッチャ２３と、下流側キャッチャ３１と、サイレンサ２８のそれぞれの下部は、キャッチャタンク３５の内部に挿入（収納）されている。
【００４６】
詳細には、上流側キャッチャ２３の筒体としての処理チャンバ２３ｃが、キャッチャタンク３５の上面３５ｃに形成された円形の開口部３５ｄに、軸心が略鉛直方向に沿った縦置きの状態で挿入されている。そして、例えば溶接等の固定手段によって、処理チャンバ２３ｃの外周面が、キャッチャタンク３５の上面３５ｃに固定されている。この場合、処理チャンバ２３ｃの上部に設けられた円筒室２３ｅが、キャッチャタンク３５の上面３５ｃから突出されている。また、処理チャンバ２３ｃの下部に設けられた円錐室２３ｆの一部分（下部分）が、キャッチャタンク３５の内部に挿入されている。
【００４７】
同様に、下流側キャッチャ３１の筒体としての処理チャンバ３１ｃが、キャッチャタンク３５の上面３５ｃに形成された円形の開口部３５ｅに、軸心が略鉛直方向に沿った縦置きの状態で挿入されている。そして、例えば溶接等の固定手段によって、処理チャンバ３１ｃの外周面が、キャッチャタンク３５の上面３５ｃに固定されている。この場合、処理チャンバ３１ｃの上部に設けられた円筒室３１ｅが、キャッチャタンク３５の上面３５ｃから突出されている。また、処理チャンバ３１ｃの下部に設けられた円錐室３１ｆの一部分（下部分）が、キャッチャタンク３５の内部に挿入されている。
【００４８】
さらに、サイレンサ２８の筒体２８ａが、キャッチャタンク３５の上面３５ｃに形成された円形の開口部３５ｆに、軸心が略鉛直方向に沿った縦置きの状態で挿入されている。そして、例えば溶接等の固定手段によって、筒体２８ａの外周面が、キャッチャタンク３５の上面３５ｃに固定されている。この場合、筒体２８ａの上部が、キャッチャタンク３５の上面３５ｃから突出され、筒体２８ａの下部が、キャッチャタンク３５の内部に挿入されている。
【００４９】
このように、キャッチャタンク３５の上面３５ｃから、３つの筒体（処理チャンバ２３ｃ，３１ｃ、及び筒体２８ａ）が上方に向けて突出された構造のタンクアッセンブリが、一体的に形成されている。これら３つの筒体を互いに近づけて配置することによって、上流側キャッチャ２３と、下流側キャッチャ３１と、サイレンサ２８とをキャッチャタンク３５に集中的に配置したコンパクトな構造のタンクアッセンブリが得られる。
【００５０】
このようなタンクアッセンブリにおいて、正面視で、上流側キャッチャ２３の筒体（処理チャンバ２３ｃ）と、下流側キャッチャ３１の筒体（処理チャンバ３１ｃ）と、サイレンサ２８の筒体２８ａとがキャッチャタンク３５の長手方向に並んで配置されている。キャッチャタンク３５の略中央部には、下流側キャッチャ３１が配置されている。下流側キャッチャ３１に対し、キャッチャタンク３５の長手方向一方側（車両左側）に上流側キャッチャ２３が配置され、長手方向他方側（車両右側）にサイレンサ２８が配置されている。また、上流側キャッチャ２３の吸入口２３ａと、下流側キャッチャ３１の吸入口３１ａと、サイレンサ２８の空気出口２８ｆとが略同じ高さ位置に設けられている。
【００５１】
さらに、図５に示すように、平面視で、キャッチャタンク３５の後部に凹部３５ｇが形成されており、上流側キャッチャ２３と、下流側キャッチャ３１と、サイレンサ２８とが、凹部３５ｇの周囲に配置されている。また、平面視で、キャッチャタンク３５の凹部３５ｇ内にブロワ２５の一部（先端部）が配置されるようになっている。
【００５２】
本実施形態によれば、ブロワ２５、上流側キャッチャ２３、下流側キャッチャ３１、サイレンサ２８等の配置構成を工夫することによって、配管の全長を短縮して軽量化を図ることができる。具体的には、上流側キャッチャ２３と、下流側キャッチャ３１と、サイレンサ２８とが、共通のキャッチャタンク３５に一体的に支持されているので、サイレンサが共通の支持部材に支持されていない従来の構成に比べて、レシーバタンク５、ブロワ２５、上流側キャッチャ２３、下流側キャッチャ３１、サイレンサ２８等を接続する配管の全長を短縮することができ、軽量化を図ることができる。しかも、上流側キャッチャ２３と、下流側キャッチャ３１と、サイレンサ２８とが、キャッチャタンク３５の周囲に集中して配置されているので、吸引装置１をコンパクトな配置構成とすることができ、配管の全長を短縮して軽量化を図ることができる。
【００５３】
また、上流側キャッチャ２３の筒体（処理チャンバ２３ｃ）と、下流側キャッチャ３１の筒体（処理チャンバ３１ｃ）と、サイレンサ２８の筒体２８ａとが、正面視で、キャッチャタンク３５の長手方向に並んで配置されているので、吸引装置１の更なるコンパクト化を図ることができ、軽量化に貢献できる。この場合、サイレンサ２８の空気出口２８ｆと、下流側キャッチャ３１の吸入口３１ａとが略同じ高さ位置に設けられているので、サイレンサ２８と下流側キャッチャ３１とを接続する配管３０を水平方向に沿って延びる配管とすることができ、配管３０を短縮することができ、更なる軽量化を図ることができる。
【００５４】
本実施形態では、サイレンサ２８の筒体２８ａの下部が、キャッチャタンク３５の内部に挿入されているので、サイレンサ２８の全部分がキャッチャタンク３５の外側に設けられた場合に比べて、ブロワ２５の駆動音を低減することができる。また、サイレンサ２８の筒体２８ａの底板２８ｇに形成された開口部２８ｈを介して、サイレンサ２８の筒体２８ａの内部と、キャッチャタンク３５の内部とが連通されているので、サイレンサ２８の膨張室２８ｂにおいて凝集した冷却水が、開口部２８ｈを介して、キャッチャタンク３５の内部へ排出される。これにより、排水のための特別な機構（ドレン配管等）をサイレンサ２８に設ける必要がなくなり、サイレンサ２８における排水構造を簡素化することができる。
【００５５】
今回開示した実施形態は、すべての点で例示であって、限定的な解釈の根拠となるものではない。本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００５６】
上記実施形態では、ブロワ２５として、湿式のルーツブロワを用いたが、レシーバタンク５内の空気を加減圧することが可能であれば、他の形式のブロワ、ポンプ等を用いてもよい。ブロワ２５として、例えば、乾式のルーツブロワや、ベーンポンプ等を用いてもよい。また、ブロワ２５を多段式のブロワとして構成してもよく、例えば、２つのルーツブロワを直列的に配置した２段式のブロワとしてもよい。
【００５７】
上記実施形態では、サイレンサ２８として膨張式のサイレンサを用いたが、他の形式のサイレンサを用いてもよい。サイレンサ２８として、例えば、干渉式のサイレンサや、多数の開口部を有する減衰式のサイレンサ等を用いてもよい。
【００５８】
上記実施形態では、上流側キャッチャ２３の処理チャンバ２３ｃのうち、円錐室２３ｆの一部分（下部分）がキャッチャタンク３５の内部に挿入されていた。しかし、これに限らず、処理チャンバ２３ｃのうち少なくとも円錐室２３ｆの一部分がキャッチャタンク３５の内部に挿入されていればよい。例えば、円錐室２３ｆの全部分がキャッチャタンク３５の内部に挿入されていてもよいし、あるいは、円錐室２３ｆの全部分に加えて円筒室２３ｅの一部分がキャッチャタンク３５の内部に挿入されていてもよい。
【００５９】
同様に、上記実施形態では、下流側キャッチャ３１の処理チャンバ３１ｃのうち、円錐室３１ｆの一部分（下部分）がキャッチャタンク３５の内部に挿入されていた。しかし、これに限らず、処理チャンバ３１ｃのうち少なくとも円錐室３１ｆの一部分がキャッチャタンク３５の内部に挿入されていればよい。例えば、円錐室３１ｆの全部分がキャッチャタンク３５の内部に挿入されていてもよいし、あるいは、円錐室３１ｆの全部分に加えて円筒室３１ｅの一部分がキャッチャタンク３５の内部に挿入されていてもよい。
【００６０】
また、上記実施形態では、サイレンサ２８の筒体２８ａの下部がキャッチャタンク３５の内部に挿入されていた。しかし、これに限らず、サイレンサ２８の筒体２８ａの少なくとも下部がキャッチャタンク３５の内部に挿入されていればよい。例えば、サイレンサ２８の筒体２８ａの全部分がキャッチャタンク３５の内部に挿入されていてもよい。
【００６１】
以上では、吸引装置１が吸引車２に搭載されている場合について説明したが、吸引車に搭載されていない吸引装置に対しても本発明を適用することが可能であり、この場合、吸引装置は、吸引車のエンジンとは独立した駆動源によって駆動される。例えば、吸引装置が収容されたコンテナを車両に積載して作業現場まで運搬し、コンテナを所定の場所に積み降ろして、吸引装置を作業現場に設置することが可能である。
【産業上の利用可能性】
【００６２】
本発明は、汚泥や、土砂、廃液等の回収対象物をレシーバタンク内に吸引、回収する吸引装置、及びこの吸引装置を搭載した吸引車に利用可能である。
【符号の説明】
【００６３】
１    吸引装置
２    吸引車
５    レシーバタンク
２３    上流側キャッチャ（上流側集塵装置）
２３ａ    吸入口
２３ｂ    排出口
２３ｃ    処理チャンバ（筒体）
２５    ブロワ
２５ａ    吸入口
２５ｂ    吐出口
２８    サイレンサ
２８ａ    筒体
２８ｆ    空気出口
２８ｈ    開口部
３１    下流側キャッチャ（下流側集塵装置）
３１ａ    吸入口
３１ｂ    排出口
３１ｃ    処理チャンバ（筒体）
３５    キャッチャタンク（支持部材）
３５ｃ    上面
【図１】
2018167739.tif 000003
【図２】
2018167739.tif 000004
【図３】
2018167739.tif 000005
【図４】
2018167739.tif 000006
【図５】
2018167739.tif 000007
【図６】
2018167739.tif 000008
【図７】
2018167739.tif 000009